(57)【特許請求の範囲】
【請求項１】
小幅な板（１）を円筒状に並べて形成した胴部（２）と該胴部（２）の両端に取り付けた鍔部（３）から構成した古い木ドラムの胴部を切断してなるプランターにおいて，その胴部（２）に水はけ調整部材（５）を設けたことを特徴とするプランター。
【請求項２】
水はけ調整部材（５）が上記木ドラムの胴部（２）の内面に沿って取りつけた水が通る孔（７）を１つ以上開けた水はけ調整シート（５）であることを特徴とする請求項１記載のプランター。
【請求項３】
水はけ調整部材（５）が上記木ドラムの胴部（２）を形成する小幅な板の間の隙間（４）の一部又は全部を充填した隙間充填剤（８）であることを特徴とする請求項１記載のプランター。
【請求項４】
上記木ドラムの両鍔部（３）に運搬用取っ手（６）を設けたことを特徴とする請求項1ないし３記載のプランター。
【請求項５】
上記木ドラムの鍔部（３）の一部又は胴部（2）及び両鍔部（3）の一部を切断したことを特徴とする請求項1ないし４記載のプランター。
【請求項６】
上記木ドラムの胴部（２）及び鍔部（３）の表面に炭化処理を施したことを特徴とする請求項1ないし５記載のプランター。
【発明の詳細な説明】
【０００１】
【発明の属する技術分野】
本発明は家庭の庭，玄関，公園，学校，商店街，ビルの屋根上などに使用されるプランターに関する。更に詳しくは，電力・通信ケーブル及び電線用に使用された古い木ドラムを利用して作成したプランターに関するものである。
【０００２】
【従来の技術】
電力・通信ケーブル及び電線用に使用される木ドラムは，小幅な板を円筒状に並べて形成した胴部と，該胴部の両端に取り付けた円形型の鍔部とから構成されている。従来，このような古い木ドラムは胴部の軸方向に沿って半分に切断し，切断した胴部の凹部に土を入れてガーデニング用のプランターとして再利用されるケースがある。
【０００３】
【発明が解決しようとする課題】
しかしながら、上述した従来のプランターに以下の問題があった。
胴部を形成する小幅な板の間に長手方向に亘って３〜５ｍｍの隙間が存在するために，水はけが良過ぎて頻繁に水を蒔かなければならないから手間が掛かる。
大雨の時に小幅な板の間の隙間からプランター内の土が大量に流れ出し，プランターの役目を果たさなくなる。
プランター運搬用の把持が無く，移動は困難で人手が掛かる。
長期に渡って外気に露出するため，木の表面が腐蝕され易く耐環境性が悪い。
以上に挙げた理由から，従来の木ドラムを利用したプランターは実用化され難く，ほとんどの古い木ドラムは解体後，焼却破棄されているのが現状である。
【０００４】
【問題を解決するための手段】
上記問題点を解決するために，本発明にかかるプランターは，小幅な板を円筒状に並べて形成した胴部と該胴部の両端に取り付けた鍔部から構成した古い木ドラムの胴部を切断してなるプランターにおいて，その胴部に水はけ調整部材を設けた点に特徴がある。このように，胴部に水はけ調整部材を設けたことによりプランター内部の土が大量に流出することがなく適度な水はけ機能を持つことができるから，プランターとしての実用性が向上する。
【０００５】
上記本発明にかかるプランターは，水はけ調整部材が胴部の内面に沿って取りつけた水が通る孔を１つ以上開けた水はけ調整シート，又は，胴部を形成する小幅な板の間の隙間の一部または全部を充填した隙間充填剤であることを特徴とする。このように，水はけ調整シート又は隙間充填剤を使用すると，水はけ機能をより幅広く調整することができ，プランターの実用性を更に向上することができる。
【０００６】
また，本発明にかかるプランターは，両鍔部に運搬用取っ手を設けたことを特徴とする。これにより，プランターの運搬を容易に行うことができる。
【０００７】
更に，本発明にかかるプランターは，鍔部の一部又は胴部及び両鍔部の一部を切断した点に特徴がある。このように構成することによって，プランターの放置安定性や外観が改善され，壁掛け用治具等を取りつけることができ，実用範囲を拡大することができる。
【０００８】
更に，本発明にかかるプランターは，胴部及び鍔部の表面に炭化処理を施した点に特徴がある。この表面炭化処理により，プランターに防虫防腐の機能を持たせることができ耐環境性を高めることができる。
【０００９】
【発明の実施の形態】
以下，実施例を用いて本発明の実施形態を説明する。
図1及び図２は本発明にかかる古い木ドラムを利用して製作したプランターの一実施例を示す。木ドラムは小幅な板（１）を円筒状に並べて形成した胴部（２）と該胴部の両側に取り付けた円形状の鍔部（３）から構成されており，この木ドラムは軸方向に胴部（２）及び鍔部（３）を切断されており，切断された胴部（２）の内面に沿って水はけ調整部材（５）である水はけ調整シートが取りつけられている。この水はけ調整シートは，図3に示すような厚さ２００μｍ〜１ｍｍのプラスチック製のシートやフィルム，紙製のシート或いは金属製のシートやフィルム或いはそれらで構成するラミネートシートを用いることができる。本実施例においては，厚さ２００μｍの市販ポリエチレンシートを用い，切断した胴部（２）の内表面積よりやや小さく切り取ったものを使用した。
【００１０】
上記実施例で用いた水はけ調整部材（５）である水はけ調整シートには図4（Ａ）ないし（Ｃ）に示す如く，直径３ｃｍ程度の水が通る孔（７）を1つ以上開けておくことが好ましい。図４（Ａ）は孔（７）を１個設けたもの，図４（Ｂ）は孔（７）を７個設けたもの，図４（Ｃ）は孔８個設けたものである。なお，孔（７）の数と大きさは任意に選定することができるものである。
【００１１】
図5は本発明にかかるプランターの他の実施例を示す。本実施例は水はけ調整部材（５）として隙間充填材（８）を使用した例である。即ち，前記実施例と同様に軸方向に木ドラムの胴部（２）及び鍔部（３）を切断したプランターにおいて，小幅な板の間の隙間（４）の一部を隙間充填材（８）で充填して隙間の一部を塞いだ。隙間充填剤（８）として，市販の木材用粘着剤，例えば，ボンドを用いることができる。
【００１２】
上記小幅な板の間の隙間（４）の一部又は全部を塞いで水はけ機能を調整する水はけ調整部材（５）としては，図３および図４に示した水はけ調整シートや図５に示した隙間充填剤（８）を使用することの他に，粘着シートやテープ，若しくは水が通る孔を1つ以上開けた粘着テープやシートを用いて小幅な板（１）の内側又は外側に貼ることもできる。
【００１３】
図６は本発明にかかるプランターの更にその他の実施例を示す。本実施例は，古い木ドラムを用いて胴部（２）及び鍔部（３）を切断し，その胴部（２）の内面に水はけ調整部材（５）を取りつけた点は図１に示したものと同様であるが，プランターを運搬し易いよう両鍔部（３）に運搬用の取っ手（６）を設けた点に特徴がある。図６に示す運搬用の取っ手（６）の中の１つは，ケーブル端末部を出す孔として木ドラム片方の鍔に元々あったものであり，もう一つは反対側の鍔部（３）にドリル等の工具によって開けたものである。この2つの孔はプランター運搬時に手の指を入れる程度の大きさに加工されており，孔の両鍔部（３）における位置は同じく胴部（２）よりも外側にある。なお，この運搬用取っ手の孔の大きさや配置は適宜選定するものである。
【００１４】
また，図６に示す本発明にかかるプランターは，鍔部（３）の一部（９）を切断して六角形に加工してある。このように加工すると，プランターの放置安定性及び外観を改善することができる。
【００１５】
図７は壁掛けフックを具備した木ドラム利用のプランターの実施例を示す。この実施例においては，図1に示したプランターの胴部の切断面と垂直する方向に胴部（２）及び鍔部（３）の一部を切断し，その切断面に木の板（１１）を接着剤で貼りつけて，その上に壁掛け用治具（１０）を取り付けたものである。このプランターは壁掛け用のものとして使用される。
【００１６】
更に，本発明にかかるプランターは防虫防腐の機能を持たせるために，胴部（２）及び鍔部（３）の表面に炭化処理を施した。即ち，上記の実施例に用いた古い木ドラムを利用したプランターの胴部（２）及び鍔部（３）の表面に，ガスボンベを用いて表面全体を黒くなるまで火で炙る。この処理によってプランターの表面が炭化され，長期に渡って外気に露出しても腐蝕されずに環境に耐えて長く使用できる。
なお，プランターの胴部（２）及び鍔部（３）の表面にはペンキなどを塗布してもよい。
【００１７】
【発明の効果】
以上説明したように，本発明にかかるプランターは，小幅な板（１）を円筒状に並べて形成した円筒状の胴部（２）と該胴部の両端に取りつけた鍔部（３）から構成した古い木ドラムの胴部（２）及び鍔部（３）を切断してなる従来のプランターにおいて，その切断した胴部（２）に水はけ調整部材（５）を設けたため，プランターに適度な水はけ機能を持たせると同時にプランター内部の土流出を防ぐことができるという効果がある。
【００１８】
また，水はけ調整部材（５）として水が通る孔（７）を１つ以上開けた水はけ調整シートを胴部（２）の内面に沿って取りつけ，若しくは隙間充填材（８）で胴部（２）を形成する小幅な板の間の隙間（４）の一部又は全部を充填することによって，水はけ機能を更に調整することが可能となる。
【００１９】
又，本発明にかかるプランターは，両鍔部（３）に取っ手を設けたので，プランターの運搬をし易くなる。
【００２０】
更に，本発明にかかるプランターは，鍔部(３)を一部切断したので，放置安定性や外観等が改善される。
【００２１】
更に，本発明にかかるプランターは，胴部（２）及び鍔部（３）の表面に炭化処理を施したので，防虫防腐に有効であり，耐環境性に優れている。
【図面の簡単な説明】
【図１】  本発明にかかるプランターを説明する斜視図である。
【図２】  本発明にかかるプランターを説明する断面図である。
【図３】  本発明にかかるプランターに取り付ける水はけ調整部材である水はけ調整シートを示す斜視図である。
【図４】  本発明にかかるプランターに取り付ける水はけ調整部材である水はけ調整シートを示す斜視図である。
【図５】  本発明にかかる隙間充填剤使用のプランターの斜視図である。
【図６】  本発明にかかる取っ手付きプランターの斜視図である。
【図７】  本発明にかかる壁掛け用治具を具備したプランターの斜視図である。
【符号の説明】
（１）  小幅な板
（２）  胴部
（３）  鍔部
（４）  小幅な板の間の隙間
（５）  水はけ調整部材
（６）  運搬用取っ手
（７）  水が通る孔
（８）  隙間充填剤
（９）  切断加工した鍔
（１０）  壁掛け用治具
（１１）  木の板
（１２）  壁
【図１】
0003833966.tif 000002
【図２】
0003833966.tif 000003
【図３】
0003833966.tif 000004
【図４】
0003833966.tif 000005
【図５】
0003833966.tif 000006
【図６】
0003833966.tif 000007
【図７】
0003833966.tif 000008